(57)【要約】    【課題】非常時に回路を遮断することのできるスイッチを備え、かつ、その形状は煩雑なものとならない防爆形操作ボックスを提供すること。    【解決手段】非常停止用押しボタンスイッチ５には、スイッチ部９と、停止レバー１０を有する停止機構３１と、解除レバー１１を有する解除機構３２とが備えられている。そして、停止レバー１０および解除レバー１１は、ケース２の第２突出部２２１および第１突出部２１１から突出するように配置されている。これにより、ケース２の正面の厚みが大きくなったり、ケース２の正面の一部が突出したりするのを防ぐことができる。また、非常停止用押しボタンスイッチ５には、停止レバー１０と解除レバー１１とが備えられており、それぞれ別個の位置に配置されているので、ユーザの誤操作を防止することもできる。【選択図】            図４
2006092965.tif 000002
【特許請求の範囲】
【請求項１】
防爆形のケースと、
上記ケースに内蔵された回路と、
上記ケースに内蔵され、上記回路を遮断し、遮断時にはその遮断状態がロックされる遮断スイッチと、
上記ケースの正面に対して側方に突出し、上記遮断スイッチを起動するための遮断スイッチ起動手段と、
上記ケースの正面に対して側方に突出し、上記遮断スイッチのロックを解除するロック解除手段と、を備えていることを特徴とする防爆形操作ボックス。
【請求項２】
上記遮断スイッチは、
上記回路と接続された本体と、
上記本体に対して進退可能であり、かつ、軸心まわりに回動可能な操作ピンと、を備え、上記操作ピンが上記本体に退避することに伴って上記回路を遮断し、上記操作ピンが上記本体から進出することに伴って上記回路を接続し、上記操作ピンが退避状態にあるときには、上記操作ピンを軸心まわりに所定角度回転させたときにのみ、上記操作ピンの上記本体からの進出が許容され、
上記遮断スイッチ起動手段は、
上記ケースの正面に対して側方の面を貫通し、軸心まわりに回動可能な停止操作軸と、
上記操作ピンに接触するように上記停止操作軸の一端に取り付けられ、上記停止操作軸の回転に伴って変位し、その変位状態によって上記操作ピンを上記本体に退避させる接触部材と、
上記停止操作軸の他端に取り付けられた停止レバーと、を備え、
上記ロック解除手段は、
上記ケースの正面に対して側方の面を貫通し、軸心まわりに回動可能な解除操作軸と、
上記解除操作軸の一端に取り付けられ、上記解除操作軸の回転に伴って変位し、その変位状態によって上記操作ピンを軸心まわりに回転させる回転力伝達部材と、を備え、
上記遮断スイッチは、上記停止レバーが操作されることに伴って、上記接触部材により上記操作ピンを退避させて上記回路を遮断し、遮断によりロックされた状態において上記解除操作軸が回転されることに伴って、上記回転力伝達部材により上記操作ピンを所定角度回転させてロックが解除されることを特徴とする請求項１に記載の防爆形操作ボックス。
【請求項３】
上記ロック解除手段は、上記解除操作軸の他端に取り付けられた解除レバーを備え、
上記遮断スイッチは、遮断によりロックされた状態において上記解除レバーが操作されることに伴って、上記回転力伝達部材により上記操作ピンを所定角度回転させてロックが解除されることを特徴とする請求項２に記載の防爆形操作ボックス。
【請求項４】
上記遮断スイッチは、
上記回路と接続された本体と、
上記本体に対して進退可能であり、かつ、軸心まわりに回動可能な操作ピンと、を備え、上記操作ピンが上記本体に退避することに伴って上記回路を遮断し、上記操作ピンが上記本体から進出することに伴って上記回路を接続し、上記操作ピンが退避状態にあるときには、上記操作ピンを軸心まわりに所定角度回転させたときにのみ、上記操作ピンの上記本体からの進出が許容され、
上記遮断スイッチ起動手段は、
上記ケースの正面に対して側方の面を貫通し、軸心まわりに回動可能な停止操作軸と、
上記操作ピンに接触するように上記停止操作軸の一端に取り付けられ、上記停止操作軸の回転に伴って変位し、その変位状態によって上記操作ピンを上記本体に退避させる接触部材と、
上記停止操作軸の他端に取り付けられた停止レバーと、を備え、
上記ロック解除手段は、上記ケースの正面に対して側方の面を貫通し、上記ケースに対して進退可能であり、上記ケースに退避した状態で上記操作ピンを所定角度回転させる解除操作軸を備え、
上記遮断スイッチは、上記停止レバーが操作されることに伴って、上記接触部材により上記操作ピンを退避させて上記回路を遮断し、遮断によりロックされた状態において上記解除操作軸が退避されることにより上記操作ピンを所定角度回転させてロックが解除されることを特徴とする請求項１に記載の防爆形操作ボックス。
【発明の詳細な説明】
【技術分野】
【０００１】
この発明は、防爆構造を有する防爆形操作ボックスに関する。
【背景技術】
【０００２】
従来から、機械内部の回路と接続された操作ボックスを用いて遠隔操作を行うことができる機械が広く利用されている。たとえば、荷物の吊り下げ作業または吊り上げ作業においては、電気チェーンブロックが用いられており、電気チェーンブロックには、キャブタイヤケーブルを介して遠隔操作を行うための操作ボックスが備えられている（たとえば、特許文献１参照）。
【特許文献１】特開平１０−１２０３８０号公報
【発明の開示】
【発明が解決しようとする課題】
【０００３】
この場合、操作ボックスには、電気チェーンブロックの巻き上げ、または、巻き下げを操作するための操作用押しボタンスイッチが備えられており、操作用押しボタンスイッチを操作することによって電気チェーンブロックが動作されるが、何らかの原因により、電気チェーンブロック内の回路が溶着してしまい、操作用押しボタンスイッチの操作にかかわらず、電気チェーンブロックが動作することがある。このような非常時に電気チェーンブロックを停止させるため、操作ボックスには非常停止用押しボタンスイッチが備えられている。
【０００４】
また、このような操作ボックスを防爆形操作ボックスとすることが知られている。防爆形操作ボックスとは、仮にガスまたは蒸気が内部に侵入した状態で火花などが発生して爆発が生じたとしても、その圧力に耐えることのできるものであり、厚み等が所定の規格により形成された防爆形ケースを備えている。
しかし、非常停止用押しボタンスイッチを防爆形操作ボックスに設ける場合には、防爆形ケースの内部に回路が配置され、また、非常停止用押しボタンスイッチの押しボタン部分が防爆形ケースの外面上に配置されるため、回路の接点と非常停止用押しボタンスイッチとを接続すると、非常停止用押しボタンスイッチの一部が防爆形ケースを貫通することになる。
【０００５】
一方、防爆形ケースは、貫通部分においては所定の厚みを必要とするため、その厚みを確保する部分が必要となったり、防爆形ケース内部の配置関係が煩雑になったりする。
また、非常停止用押しボタンスイッチは、非常時に回路を遮断するものであるため、一度スイッチをオンして回路を遮断すると、その状態でスイッチをロックすることが必要であり、ロック機構が必須とされる。そのため、非常停止用押しボタンスイッチを通常の状態に戻すためのロック解除機構も必要とされる。
【０００６】
その一方で、非常停止用押しボタンスイッチは、非常時に機械の動作を停止させるものであるため、ユーザの誤操作が生じにくいものでなければならない。
本発明は、このような事情に鑑みなされたもので、その目的とするところは、非常時に回路を遮断することのできる遮断スイッチを備え、かつ、その形状は煩雑なものとならない防爆形操作ボックスを提供することにある。
【０００７】
また、本発明の他の目的とするところは、非常時に回路を遮断することのできる機構を備え、かつ、誤操作の生じにくい防爆形操作ボックスを提供することにある。
【課題を解決するための手段】
【０００８】
上記目的を達成するために、請求項１に記載の発明は、防爆形のケースと、上記ケースに内蔵された回路と、上記ケースに内蔵され、上記回路を遮断し、遮断時にはその遮断状態がロックされる遮断スイッチと、上記ケースの正面に対して側方に突出し、上記遮断スイッチを起動するための遮断スイッチ起動手段と、上記ケースの正面に対して側方に突出し、上記遮断スイッチのロックを解除するロック解除手段と、を備えることを特徴としている。
【０００９】
このような構成によると、遮断スイッチ起動手段とロック解除手段とは、ケースの側方に突出しているため、ケースの形状が煩雑になるのを防ぐことができる。防爆形ケースは、所定の規格により、たとえば、貫通部分が存在する場合には、貫通部分の厚みが所定の厚みよりも大きいことが必要とされる。そこで、上記のような構成とすることで、ケースの正面の厚みが大きくなったり、ケースの正面の一部が突出したりするのを防ぐことができる。
【００１０】
また、遮断スイッチには、遮断スイッチ起動手段とロック解除手段とが備えられており、それぞれ別個の位置に配置されているので、ユーザの誤操作を防止することができる。
また、請求項２に記載の発明は、請求項１に記載の発明において、上記遮断スイッチは、上記回路と接続された本体と、上記本体に対して進退可能であり、かつ、軸心まわりに回動可能な操作ピンと、を備え、上記操作ピンが上記本体に退避することに伴って上記回路を遮断し、上記操作ピンが上記本体から進出することに伴って上記回路を接続し、上記操作ピンが退避状態にあるときには、上記操作ピンを軸心まわりに所定角度回転させたときにのみ、上記操作ピンの上記本体からの進出が許容され、上記遮断スイッチ起動手段は、上記ケースの正面に対して側方の面を貫通し、軸心まわりに回動可能な停止操作軸と、上記操作ピンに接触するように上記停止操作軸の一端に取り付けられ、上記停止操作軸の回転に伴って変位し、その変位状態によって上記操作ピンを上記本体に退避させる接触部材と、上記停止操作軸の他端に取り付けられた停止レバーと、を備え、上記ロック解除手段は、上記ケースの正面に対して側方の面を貫通し、軸心まわりに回動可能な解除操作軸と、上記解除操作軸の一端に取り付けられ、上記解除操作軸の回転に伴って変位し、その変位状態によって上記操作ピンを軸心まわりに回転させる回転力伝達部材と、を備え、上記遮断スイッチは、上記停止レバーが操作されることに伴って、上記接触部材により上記操作ピンを退避させて上記回路を遮断し、遮断によりロックされた状態において上記解除操作軸が回転されることに伴って、上記回転力伝達部材により上記操作ピンを所定角度回転させてロックが解除されることを特徴としている。
【００１１】
このような構成によると、停止レバーを操作することで、接触部材により操作ピンを退避させて回路を遮断することができる。また、回路が遮断された状態で、解除操作軸を回転させることで、回転力伝達部材により操作ピンを回転させて回路を接続することができる。そのため、停止レバーおよび解除操作軸をそれぞれ個別に、しかも異なる方法で操作するため、より一層ユーザの誤操作を防止することができる。
【００１２】
また、請求項３に記載の発明は、請求項２に記載の発明において、上記ロック解除手段は、上記解除操作軸の他端に取り付けられた解除レバーを備え、上記遮断スイッチは、遮断によりロックされた状態において上記解除レバーが操作されることに伴って、上記回転力伝達部材により上記操作ピンを所定角度回転させてロックが解除されることを特徴としている。
【００１３】
このような構成によると、回路が遮断された状態で、解除レバーを操作することで、回転力伝達部材により操作ピンを回転させて回路を接続することができる。そのため、操作性の向上を図ることができる。
また、請求項４に記載の発明は、請求項１に記載の発明において、上記遮断スイッチは、上記回路と接続された本体と、上記本体に対して進退可能であり、かつ、軸心まわりに回動可能な操作ピンと、を備え、上記操作ピンが上記本体に退避することに伴って上記回路を遮断し、上記操作ピンが上記本体から進出することに伴って上記回路を接続し、上記操作ピンが退避状態にあるときには、上記操作ピンを軸心まわりに所定角度回転させたときにのみ、上記操作ピンの上記本体からの進出が許容され、上記遮断スイッチ起動手段は、上記ケースの正面に対して側方の面を貫通し、軸心まわりに回動可能な停止操作軸と、上記操作ピンに接触するように上記停止操作軸の一端に取り付けられ、上記停止操作軸の回転に伴って変位し、その変位状態によって上記操作ピンを上記本体に退避させる接触部材と、上記停止操作軸の他端に取り付けられた停止レバーと、を備え、上記ロック解除手段は、上記ケースの正面に対して側方の面を貫通し、上記ケースに対して進退可能であり、上記ケースに退避した状態で上記操作ピンを所定角度回転させる解除操作軸を備え、上記遮断スイッチは、上記停止レバーが操作されることに伴って、上記接触部材により上記操作ピンを退避させて上記回路を遮断し、遮断によりロックされた状態において上記解除操作軸が退避されることにより上記操作ピンを所定角度回転させてロックが解除されることを特徴としている。
【００１４】
このような構成によると、停止レバーを操作することで、接触部材により操作ピンを退避させて回路を遮断することができる。また、回路が遮断された状態で、解除操作軸をケースに退避させることにより操作ピンを回転させて回路を接続することができる。そのため、停止レバーおよび解除操作軸をそれぞれ個別に、しかも異なる方法で操作するため、より一層ユーザの誤操作を防止することができる。
【発明の効果】
【００１５】
請求項１に記載の発明によれば、ケースの正面の厚みが大きくなったり、ケースの正面の一部が突出したりするのを防ぐことができる。また、ユーザの誤操作を防止することができる。
請求項２に記載の発明によれば、停止レバーを操作することで回路を遮断することができ、また、解除操作軸を回転させることで回路を接続することができる。そのため、停止レバーおよび解除操作軸をそれぞれ個別に、しかも異なる方法で操作するため、より一層ユーザの誤操作を防止することができる。
【００１６】
請求項３に記載の発明によれば、解除レバーを操作することで回路を接続することができる。そのため、操作性の向上を図ることができる。
請求項４に記載の発明によれば、停止レバーを操作することで回路を遮断することができ、また、解除操作軸をケースに退避させることで回路を接続することができる。そのため、停止レバーおよび解除操作軸をそれぞれ個別に、しかも異なる方法で操作するため、より一層ユーザの誤操作を防止することができる。
【発明を実施するための最良の形態】
【００１７】
以下では、この発明の実施の形態を、添付図面を参照して詳細に説明する。
図１は、本発明にかかる防爆形操作ボックスの一実施形態を示す正面図であり、図２は、図１の矢印Ａ方向からみた側面図である。
防爆形操作ボックス１には、略箱型の長手のケース２と、ケース２を貫通してケース２内に挿入されているキャブタイヤケーブル３と、ケース２内に配置された操作用押しボタンスイッチ４と、ケース２内に配置された非常停止用押しボタンスイッチ５とが備えられている。
【００１８】
ケース２は、防爆形ケースとされており、ケース２の長手方向と直交する幅方向の一側方に、ケース２の内方に凹む第１凹部２１、第２凹部２２および第３凹部２３が形成されている。
第１凹部２１は、ケース２の長手方向中央部近傍に配置され、ケース２の正面および側面から内方に向かって略直方体状に凹む形状とされている。また、第１凹部２１の側面には、ケース２の幅方向側方に突出する第１突出部２１１が形成されている。
【００１９】
第１突出部２１１は、略円筒形状とされ、その突出方向の厚さが防爆形として必要とされる所定の厚さ以上となるようにされている。
第２凹部２２は、ケース２の長手方向において第１凹部２１の隣に配置され、ケース２の正面および側面から内方に向かって略直方体状に凹む形状とされている。また、第２凹部２２の側面には、ケース２の幅方向側方に突出する第２突出部２２１が形成されている。
【００２０】
第２突出部２２１は、略円筒形状とされ、その突出方向の厚さが防爆形として必要とされる所定の厚さ以上となるようにされている。
第３凹部２３は、ケース２の長手方向において第２凹部２２の隣に配置され、ケース２の正面および側面から内方に向かって略直方体状に凹む形状とされている。また、第３凹部２３の側面には、ケース２の幅方向側方に突出する第３突出部２３１が形成されている。
【００２１】
第３突出部２３１は、略円筒形状とされ、その突出方向の厚さが防爆形として必要とされる所定の厚さ以上となるようにされている。
キャブタイヤケーブル３は、種々の絶縁電線を束ねて、さらに、それらの外周がゴムなどで被覆されている。また、防爆形操作ボックス１は、後述する電気チェーンブロックに用いられるものであり、ケース２外に突出しているキャブタイヤケーブル３の一端が電気チェーンブロックに接続されている。さらに、図１においては、図示されないが、キャブタイヤケーブル３の他端は、ケース２内の図示しない回路に接続されている。
【００２２】
操作用押しボタンスイッチ４には、ケース２内の回路の一部が接続された基台部５１と、基台部５１と接触し得る接点部６と、接点部６がその一端に取り付けられ、その他端がケース２の第３突出部２３１から突出している略円柱形状の操作軸７と、操作軸７の他端に取り付けられた操作レバー８とが備えられている。
接点部６は、長手の部材であって、その長手方向の両端部に基台部５と接触する接点が備えられており、それぞれの接点は、ケース２内の回路の一部と接続されている。また、接点部６は、操作軸７と交差するようにして、その長手方向の中央部が操作軸７の一端に取り付けられている。
【００２３】
操作軸７は、ケース２の幅方向に延びており、軸心まわりに回動可能とされている。
操作レバー８は、長手の部材であって、操作軸７と交差するようにして、その長手方向の中央部が操作軸７の他端に取り付けられている。
そして、操作用押しボタンスイッチ４を操作する際は、操作レバー８を操作して操作軸７を回転させることで、接点部６を回転させ、接点部６の両端部の接点を択一的に基台部５１に接触させる。これにより、基台部５１および接点部６の接点を介して、ケース２内の回路が種々に接続され、さらに、キャブタイヤケーブル３を介して、電気チェーンブロックが、巻き上げまたは巻き下げなど種々に動作される。
【００２４】
非常停止用押しボタンスイッチ５には、ケース２内に配置された遮断スイッチとしてのスイッチ部９と、スイッチ部９を起動する遮断スイッチ起動手段としての停止機構３１と、スイッチ部９のロックを解除するロック解除手段としての解除機構３２とが備えられている。
図３は、図１に示すスイッチ部９を矢印Ｂ方向からみた状態の内部構成を概略的に示す図である。
【００２５】
スイッチ部９には、中空ボックス形状の長手の本体１２と、本体１２を本体１２の長手方向に貫通している操作ピン１３と、本体１２の貫通部分に設けられ、操作ピン１３を取り囲んでいる略円筒状のカバー部１４とが備えられている。
本体１２内には、本体１２の内周面から操作ピン１３に向かって内方に突出し、操作ピン１３を挟んで対向する複数のガイド部１５および接触部１６が備えられている。
【００２６】
各ガイド部１５上には、操作ピン１３に対して進退方向に変位可能な係止体１７が備えられている。
各係止体１７には、圧縮ばねからなるばね１８の一端が取り付けられており、そのばね１８の他端が本体１２の内周面に取り付けられている。これによって、ばね１８は、常に、係止体１７を操作ピン１３に向けて付勢している。
【００２７】
操作ピン１３は、略円柱形状の部材であって、その外周面の軸方向中央部には、操作ピン１３の径方向外方に突出する複数の係合片１９が備えられている。また、本体１２内に位置する操作ピン１３の端部には、導電性を有する板状の伝達部２０が設けられている。伝達部２０は、接触部１６に係止可能なように、互いに対向する接触部１６の間よりも大きく形成され、かつ、操作ピン１３の軸方向において、接触部１６に対してガイド部１５の反対側に配置されている。さらに、伝達部２０には、圧縮ばねからなるばね２４の一端が取り付けられ、そのばね２４の他端は本体１２の内底面に取り付けられている。これによって、ばね２４は、常に、伝達部２０を接触部１６に向けて付勢している。
【００２８】
なお、操作ピン１３は、本体１２に対してその軸方向に進退可能とされており、その軸心まわりに回動可能とされている。そして、常に、図示しないねじりばねによって、矢印Ｃ方向に付勢されている。
また、本体１２から突出する操作ピン１３の先端には、操作ピン１３の径方向外方に突出する長手の当接部材２５が備えられている。
【００２９】
接触部１６は、導電性を有しており、それぞれ、ケース２内の回路の一部に接続されている。
操作ピン１３が図３の実線で示す状態では、ばね２４の付勢力によって、互いに対向する接触部１６と伝達部２０とが接触しており、各接触部１６および伝達部２０を介して、ケース２内の回路が接続されている。
【００３０】
この状態から、ばね２４の付勢力に抗して、操作ピン１３を本体１２内に退避させると、まず、伝達部２０が接触部１６から離れて、ケース２内の回路が遮断される。そして、さらに操作ピン１３が本体１２内に退避されると、各係合片１９が各係止体１７を押圧して、各係止体１７が各ばね１８の付勢力に抗して退避する。
そして、さらに操作ピン１３が本体１２内に退避されて、各係合片１９が２点鎖線に示す位置まで変位すると、各係止体１７が各ばね１８の付勢力により進出して、各係止体１７が係合片１９に係合し、操作ピン１３がその位置でロックされる。
【００３１】
この状態から、操作ピン１３を矢印Ｃ方向と反対方向に所定角度回転させると、各係止体１７と各係合片１９との係合状態が解除されて、操作ピン１３のロックが解除される。そして、操作ピン１３が、ばね２４の付勢力により本体１２から進出して、接触部１６と伝達部２０とが接触する実線で示す状態にもどる。
図４は、非常停止用押しボタンスイッチ５の構成を示す正面図であり、図５は、図４の矢印Ｄ方向からみた側面図である。
【００３２】
停止機構３１には、ケース２の第２突出部２２１に挿通されている停止操作軸２８と、停止操作軸２８の一端に取り付けられた接触部材２９と、停止操作軸２８の他端に取り付けられた停止レバー１０とが備えられている。
停止操作軸２８は、略円柱形状とされ、ケース２の幅方向に延びており、軸心周りに回動可能とされている。
【００３３】
接触部材２９は、停止操作軸２８と直交する方向に延びる長手の部材であって、その先端部分が操作ピン１３の上部に当接している。
停止レバー１０には、ケース２の側方の第２凹部２２内に配置され、停止操作軸２８に取り付けられ、停止操作軸２８と直交して接触部材２９と同方向に延びる長手のレバー体２６と、レバー体２６上に設けられた平面視略円形状のボタン部２７とが備えられている。
【００３４】
また、停止操作軸２８には、コイルばね３０が巻回されており、停止機構３１では、停止操作軸２８が、ばね３０の付勢力により、常に、接触部材２９および停止レバー１０がケース２の正面の延びる方向と同方向で保持されるような、図４および図５に示す状態を維持するように付勢されている。
解除機構３２には、ケース２の第１突出部２１１に挿通されている解除操作軸３３と、解除操作軸３３の一端に取り付けられたカム板３４と、解除操作軸３３の他端に取り付けられた解除レバー１１と、カム板３４に取り付けられた支持軸３５と、支持軸３５に取り付けられ回転力伝達部材３６とが備えられている。
【００３５】
解除操作軸３３は、略円柱形状とされ、ケース２の幅方向に延びており、軸心周りに回動可能とされている。
カム板３４は、板状の略楕円形状の部材であって、その一端が、解除操作軸３３の軸方向とその板面が直交するように解除操作軸３３に取り付けられている。
解除レバー１１は、解除操作軸３３と直交する方向に延びるように設けられている。
【００３６】
支持軸３５は、カム板３４の板面と直交するようにカム板３４の他端に取り付けられており、解除操作軸３３と同方向であってかつ反対側に延びている。
回転力伝達部材３６は、長手の部材であって、その一端が支持軸３５に相対回転可能に取り付けられており、その他端が当接部材２５に当接している。また、回転力伝達部材３６の長手方向途中部には長孔状のガイド孔３６ａが形成されており、ガイド孔３６ａにケース２の内側面から幅方向内方に突出するガイド棒３７が摺動自在に挿通されている。
【００３７】
また、解除操作軸３３にはコイルばね３８が巻回されており、解除機構３２では、解除操作軸３３が、ばね３８の付勢力により、常に、解除レバー１１がケース２の正面の延びる方向と同方向で保持されるような図４および図５に示す状態を維持するように付勢されている。
図６は、防爆形操作ボックス１が備えられた電気チェーンブロックの制御系統を簡略化して示すブロック図である。
【００３８】
この電気チェーンブロックでは、チェーンブロック本体４０と、防爆形操作ボックス１とが、キャブタイヤケーブル３を介して接続されている。
チェーンブロック本体４０には、チェーンブロック本体４０を動作させるためのモータ４１と、モータ４１を制御するためのモータ制御部４２とが備えられている。また。モータ４１とモータ制御部４２との間の回路には、上限リミットスイッチ４３と下限リミットスイッチ４４とが接続されている。
【００３９】
モータ制御部４２には、マグネットスイッチが備えられており、モータ制御部４２は、このマグネットスイッチをオン／オフすることにより、モータ４１を駆動制御する。また、モータ制御部４２は、外部の供給用の電源４５と接続されている。
上限リミットスイッチ４３は、モータ４１によるチェーンの巻き上げ過ぎを検知し、その検知に応じて回路を遮断するものである。
【００４０】
下限リミットスイッチ４４は、モータ４１によるチェーンの巻き下げ過ぎを検知し、その検知に応じて回路を遮断するものである。
防爆形操作ボックス１には、モータ制御部４２と接続された操作用押しボタンスイッチ４と、非常停止用押しボタンスイッチ５とが備えられている。
非常停止用押しボタンスイッチ５は、電源４５とモータ制御部４２との間の回路に接続されており、上述の操作ピン１３により当該回路を遮断したり遮断状態を解除したりする。
【００４１】
非常停止用押しボタンスイッチ５は、通常では、コイルばね３０の付勢力によって図４および図５に示す状態とされており、回路は遮断されていない。この状態においては、操作用押しボタンスイッチ４を操作することにより、電気チェーンブロックを巻き上げまたは巻き下げなど種々に動作させることができる。
そして、非常事態が生じた場合には、図７に示すように、まず、非常停止用押しボタンスイッチ５のボタン部２７を押す。すると、コイルばね３０の付勢力に抗して停止操作軸２８が回転し、さらに、接触部材２９が停止操作軸２８を中心として回転して、接触部材２９の先端部が操作ピン１３の上部を押圧する。押圧された操作ピン１３は、ばね２４の付勢力に抗して本体１４内に退避し、回路を遮断する。
【００４２】
これにより、モータ制御部４２の制御にかかわらず、電気チェーンブロックの動作が停止される。また、上述のように、操作ピン１３は、本体１４内に退避した状態でロックされるため、電気チェーンブロックの停止状態が維持される。
この状態から、図８に示すように、解除レバー１１が押圧されると、コイルばね３８の付勢力に抗して解除操作軸３３が回転し、さらに、カム板３４が解除操作軸３３を支点として揺動し、回転力伝達部材３６が、当接部材２５を押圧する。そして、押圧された当接部材２５により、操作ピン１３が回転させられて、操作ピン１３のロックが解除される。
【００４３】
以上のように、停止レバー１０および解除レバー１１は、ケース２の幅方向側方に突出する第１突出部２１１および第２突出部２２１から、さらに側方に突出するように配置されているため、ケース２の正面の厚みが大きくなったり、ケース２の正面の一部が突出したりするのを防ぐことができる。
また、非常停止用押しボタンスイッチ５には、停止レバー１０と解除レバー１１とが備えられており、それぞれ別個の位置に配置されているので、ユーザの誤操作を防止することができる。そのため、操作性の向上を図ることができる。
【００４４】
図９は、この発明の第２の実施形態にかかる非常停止用押しボタンスイッチ５の構成を示す正面図である。なお、以下では、上述と同様の構成については、上述と同一の参照符号を付することにより説明を省略する。
この実施形態においては、非常停止用押しボタンスイッチ５は、ケース２の第１突出部２１１から突出した部分の先端に側面形状が略円形状の把持部５０が備えられている。これにより、操作ピン１３が本体１２内に退避した状態において、把持部５０を掴んで回転させることで、解除操作軸３３を回転させ、さらに、カム板３４が解除操作軸３３を支点として揺動し、回転力伝達部材３６が、当接部材２５を押圧する。そして、押圧された当接部材２５により、操作ピン１３が回転させられて、操作ピン１３のロックが解除される。
【００４５】
このように、把持部５０を回転させることで、操作ピン１３のロックを解除して、回路の遮断状態を解除することができる。そのため、停止レバー１０および解除操作軸３３をそれぞれ個別に、しかも異なる方法で操作するため、より一層ユーザの誤操作を防止することができる。
図１０は、この発明の第３の実施形態にかかる非常停止用押しボタンスイッチ５の構成を示す正面図であり、図１１は、図１０の矢印Ｅ方向からみた側面図である。
【００４６】
この実施形態においては、非常停止用押しボタンスイッチ５の操作ピン１３は、その上部に、略Ｌ字状の当接部材７０が備えられている。また、停止レバー１０が配置された側と反対側のケース２の側方に解除操作軸７１が備えられている。
当接部材７０は、操作ピン１３の先端からケース２の長手方向に延びている。
解除操作軸７１は、ケース２を貫通しており、その一端が当接部材７０の先端に当接し、その他端がケース２の側方に突出していて、軸方向に進退可能とされている。また、解除操作軸７１には、ばね７２が巻回されており、解除操作軸７１は、ばね７２の付勢力により、その先端が、ロック状態における当接部材７０と対向する図の実線で示す位置を維持するように付勢されている。
【００４７】
これにより、操作ピン１３が本体１２内に退避した状態において、解除操作軸７１をばね７２の付勢力に抗してケース２に退避させることで、解除操作軸７１の先端により当接部材７０が押圧されて、操作ピン１３が回転させられ、操作ピン１３のロックが解除される。
このように、解除操作軸７１をケース２に退避させることで、操作ピン１３のロックを解除して、回路の遮断状態を解除することができる。そのため、停止レバー１０および解除操作軸７１をそれぞれ個別に、しかも異なる方法で操作するため、より一層ユーザの誤操作を防止することができる。
【図面の簡単な説明】
【００４８】
【図１】本発明にかかる防爆形操作ボックスの一実施形態を示す正面図である。
【図２】図１に示す防爆形操作ボックスを矢印Ａ方向からみた側面図である。
【図３】図１に示すスイッチ部を矢印Ｂ方向からみた状態の内部構成を概略的に示す図である。
【図４】非常停止用押しボタンスイッチの構成を示す正面図である。
【図５】図４に示す非常停止用押しボタンスイッチを矢印Ｄ方向からみた側面図である。
【図６】防爆形操作ボックスが備えられた電気チェーンブロックの制御系統を簡略化して示すブロック図である。
【図７】ボタン部が押された状態の非常停止用押しボタンスイッチの構成を示す側面図である。
【図８】解除レバーが押された状態の非常停止用押しボタンスイッチの構成を示す正面図である。
【図９】この発明の第２の実施形態にかかる非常停止用押しボタンスイッチの構成を示す正面図である。
【図１０】この発明の第３の実施形態にかかる非常停止用押しボタンスイッチの構成を示す正面図である。
【図１１】図１０に示す非常停止用押しボタンスイッチを矢印Ｅ方向からみた側面図である。
【符号の説明】
【００４９】
１      防爆形操作ボックス
２      ケース
５      非常停止用押しボタンスイッチ
１０    停止レバー
１１    解除レバー
１２    本体
１３    操作ピン
２８    停止操作軸
２９    接触部材
３３    解除操作軸
３６    回転力伝達部材
７１    解除操作軸
【図１】
2006092965.tif 000003
【図２】
2006092965.tif 000004
【図３】
2006092965.tif 000005
【図４】
2006092965.tif 000006
【図５】
2006092965.tif 000007
【図６】
2006092965.tif 000008
【図７】
2006092965.tif 000009
【図８】
2006092965.tif 000010
【図９】
2006092965.tif 000011
【図１０】
2006092965.tif 000012
【図１１】
2006092965.tif 000013